(57)【要約】【課題】ＴｒａｎｓｆｅｒＪｅｔの規格に準拠した無線通信をしたときに、他の無線通信ができることをユーザに認識させることを目的とする。【解決手段】携帯端末から受信した画像を記録媒体に形成する画像形成装置であって、第１の無線通信手段と、前記第１の無線通信手段よりも短い通信距離であって、ＴｒａｎｓｆｅｒＪｅｔの規格に準拠した第２の無線通信手段と、前記第２の無線通信手段を介して前記携帯端末と無線通信をしたときに、前記第１の無線通信手段を用いた無線通信ができることをユーザに認識させるように、前記携帯端末と前記第１の無線通信手段を介して無線通信するための情報を前記携帯端末に送信するように制御する制御手段と、を有することを特徴とする。【選択図】図６
2018191157.tif 000002
【特許請求の範囲】
【請求項１】
携帯端末から受信した画像を記録媒体に形成する画像形成装置であって、
第１の無線通信手段と、
前記第１の無線通信手段よりも短い通信距離であって、ＴｒａｎｓｆｅｒＪｅｔの規格に準拠した第２の無線通信手段と、
前記第２の無線通信手段を介して前記携帯端末と無線通信をしたときに、前記第１の無線通信手段を用いた無線通信ができることをユーザに認識させるように、前記携帯端末と前記第１の無線通信手段を介して無線通信するための情報を前記携帯端末に送信するように制御する制御手段と、を有することを特徴とする画像形成装置。
【請求項２】
前記制御手段は、
前記第２の無線通信手段を介して前記携帯端末から無線通信により記録媒体に形成するための画像を受信したときに、前記携帯端末と前記第１の無線通信手段を介して無線通信するための情報を前記携帯端末に送信するように制御することを特徴とする請求項１に記載の画像形成装置。
【請求項３】
前記画像形成装置をアクセスポイントとして無線通信するモードと前記画像形成装置をアクセスポイントとしないで無線通信するモードとを設定するモード設定手段を有し、
前記制御手段は、
前記携帯端末と前記第１の無線通信手段を介して無線通信するための情報として、前記モード設定手段により設定されているモードに応じた情報を前記携帯端末に送信するように制御することを特徴とする請求項１または２に記載の画像形成装置。
【請求項４】
前記制御手段は、
前記モード設定手段により前記画像形成装置をアクセスポイントとして無線通信するモードが設定されている場合には、前記アクセスポイントを識別する識別情報を送信するように制御することを特徴とする請求項３に記載の画像形成装置。
【請求項５】
前記制御手段は、
前記アクセスポイントを識別する識別情報を生成するように制御することを特徴とする請求項４に記載の画像形成装置。
【請求項６】
前記制御手段は、
前記モード設定手段により前記画像形成装置をアクセスポイントとしないで無線通信するモードが設定されている場合には、前記画像形成装置のアドレス情報を送信するように制御することを特徴とする請求項３ないし５の何れか１項に記載の画像形成装置。
【請求項７】
前記第１の無線通信手段を介した無線通信を有効にするか無効にするかを設定する通信設定手段を有し、
前記制御手段は、
前記通信設定手段により前記第１の無線通信手段を介した無線通信が有効に設定されている場合に、前記第１の無線通信手段を介して無線通信するための情報を前記携帯端末に送信するように制御することを特徴とする請求項１ないし６の何れか１項に記載の画像形成装置。
【請求項８】
記録媒体に形成させる画像を画像形成装置に送信する携帯端末であって、
第１の無線通信手段と、
前記第１の無線通信手段よりも短い通信距離であって、ＴｒａｎｓｆｅｒＪｅｔの規格に準拠した第２の無線通信手段と、
前記第２の無線通信手段を介して前記画像形成装置と無線通信したときに、前記画像形成装置と前記第１の無線通信手段を介して無線通信するための情報を前記画像形成装置から受信して、前記第１の無線通信手段を用いた無線通信ができることをユーザに通知するように制御する制御手段と、を有することを特徴とする携帯端末。
【請求項９】
前記制御手段は、
前記第２の無線通信手段を介して無線通信により記録媒体に形成させる画像を送信したときに、前記画像形成装置と前記第１の無線通信手段を介して無線通信するための情報を前記画像形成装置から受信することを特徴とする請求項８に記載の携帯端末。
【請求項１０】
前記画像形成装置が前記画像形成装置をアクセスポイントとして無線通信するモードを設定している場合、
前記制御手段は、前記アクセスポイントの識別情報を受信することを特徴とする請求項８または９に記載の携帯端末。
【請求項１１】
前記画像形成装置が前記画像形成装置をアクセスポイントとしないで無線通信するモードを設定している場合、
前記制御手段は、前記画像形成装置のアドレス情報を受信することを特徴とする請求項８ないし１０の何れか１項に記載の携帯端末。
【請求項１２】
第１の無線通信手段と、
前記第１の無線通信手段よりも短い通信距離であって、ＴｒａｎｓｆｅｒＪｅｔの規格に準拠した第２の無線通信手段と、を有し、
携帯端末から受信した画像を記録媒体に形成する画像形成装置の制御方法であって、
前記第２の無線通信手段を介して前記携帯端末と無線通信をしたときに、前記第１の無線通信手段を用いた無線通信ができることをユーザに認識させるように、前記携帯端末と前記第１の無線通信手段を介して無線通信するための情報を前記携帯端末に送信するように制御する制御ステップを有することを特徴とする制御方法。
【請求項１３】
第１の無線通信手段と、
前記第１の無線通信手段よりも短い通信距離であって、ＴｒａｎｓｆｅｒＪｅｔの規格に準拠した第２の無線通信手段と、を有し、
記録媒体に形成させる画像を画像形成装置に送信する携帯端末の制御方法であって、
前記第２の無線通信手段を介して前記画像形成装置と無線通信したときに、前記画像形成装置と前記第１の無線通信手段を介して無線通信するための情報を前記画像形成装置から受信して、前記第１の無線通信手段を用いた無線通信ができることをユーザに通知するように制御する制御ステップを有することを特徴とする制御方法。
【請求項１４】
コンピュータを請求項１ないし１１の何れか１項に記載の制御手段として機能させるためのプログラム。
【発明の詳細な説明】
【技術分野】
【０００１】
本発明は、画像形成装置、携帯端末、制御方法およびプログラムに関する。
【背景技術】
【０００２】
従来から、複合機（ＭＦＰ）等の画像形成装置と、ノートパソコン等の携帯端末とを近距離無線通信により通信する技術が知られている。特許文献１には、近距離無線通信としてＴｒａｎｓｆｅｒＪｅｔ（登録商標）と称される通信規格を用いて、情報端末を画像形成装置の所定の位置に置くだけでデータが自動的に画像形成装置に転送され印刷される技術が開示されている。
【先行技術文献】
【特許文献】
【０００３】
【特許文献１】特開２０１３−３５２８７号公報
【発明の概要】
【発明が解決しようとする課題】
【０００４】
特許文献１では、例えば大容量の画像データを送信する場合には、情報端末を画像形成装置に近づける必要があり、近づけている間は画像形成装置を占有することになってしまう。この場合、近距離無線通信よりも通信距離が長い無線ＬＡＮ等の無線通信を用いて、画像データを送信することにより、画像形成装置を占有することを回避できる。
しかしながら、普段から近距離無線通信を用いて送信しているユーザは無線ＬＡＮの接続方法を充分把握していなかったり、画像形成装置に無線ＬＡＮが搭載されているか分からなかったりする場合がある。
本発明は、上述したような問題点に鑑みてなされたものであり、ＴｒａｎｓｆｅｒＪｅｔの規格に準拠した無線通信をしたときに、他の無線通信ができることをユーザに認識させることを目的とする。
【課題を解決するための手段】
【０００５】
本発明は、携帯端末から受信した画像を記録媒体に形成する画像形成装置であって、第１の無線通信手段と、前記第１の無線通信手段よりも短い通信距離であって、ＴｒａｎｓｆｅｒＪｅｔの規格に準拠した第２の無線通信手段と、前記第２の無線通信手段を介して前記携帯端末と無線通信をしたときに、前記第１の無線通信手段を用いた無線通信ができることをユーザに認識させるように、前記携帯端末と前記第１の無線通信手段を介して無線通信するための情報を前記携帯端末に送信するように制御する制御手段と、を有することを特徴とする。
【発明の効果】
【０００６】
ＴｒａｎｓｆｅｒＪｅｔの規格に準拠した無線通信をしたときに、他の無線通信ができることをユーザが認識することができる。
【図面の簡単な説明】
【０００７】
【図１】通信システムの概略の一例を示す模式図である。
【図２】画像形成装置のハードウェア構成の一例を示すブロック図である。
【図３】携帯端末等のハードウェア構成の一例を示すブロック図である。
【図４】画像形成装置連携アプリケーションの機能ブロックの一例を示す図である。
【図５】携帯端末の処理を示すフローチャートである。
【図６】画像形成装置の処理を示すフローチャートである。
【図７】携帯端末で表示される画面の一例を示す図である。
【図８】画像形成装置で表示される画面の一例を示す図である。
【発明を実施するための形態】
【０００８】
以下、本発明に係る実施形態について図面を参照して説明する。
図１は、通信システムの概略の一例を示す模式図である。
通信システム１０は、画像形成装置２０、携帯端末３０、近距離通信装置３５を有する。
【０００９】
画像形成装置２０は、コピー、ファックス等の複数の機能を備える複合機（ＭＦＰ：Multifunction Peripheral）、プリンタ等である。画像形成装置２０は、ＴｒａｎｓｆｅｒＪｅｔの規格に準拠した近距離無線通信機能を有する。
携帯端末３０は、スマートフォン、タブレット型パソコン等である。
近距離通信装置３５は、ＴｒａｎｓｆｅｒＪｅｔの規格に準拠した近距離無線通信機能と、ＵＳＢ等の外部有線接続機能を有する。近距離通信装置３５は、外部有線接続機能を介して携帯端末３０に接続される。なお、外部有線接続機能の規格はＵＳＢに限らず、その他のインターフェースであってもよい。また、近距離通信装置３５は携帯端末３０自体に内蔵されていてもよい。
【００１０】
ここで、本実施形態で用いるＴｒａｎｓｆｅｒＪｅｔは近距離無線通信の規格の一つであり、一組の通信機器のＴｒａｎｓｆｅｒＪｅｔ用アンテナ同士を近接させることにより、自動的に機器同士の接続が確立されて通信が開始される。通信速度は最大５６０Ｍｂｐｓを実現するため、文書データ、画像データおよび動画データ等の様々なデータを高速で通信することが可能である。したがって、ＴｒａｎｓｆｅｒＪｅｔを用いることで、ユーザはＮＦＣ規格と同様の操作感で通信でき、かつＮＦＣ規格よりも高速な通信が可能である。また、ＴｒａｎｓｆｅｒＪｅｔは通信距離が数ｃｍ程度（例えば３ｃｍ以内）と短いため、他の無線システムとの干渉が小さく、無線通信の内容が漏洩するリスクも小さい。
【００１１】
携帯端末３０と近距離通信装置３５とが接続された状態で、近距離通信装置３５と画像形成装置２０がＴｒａｎｓｆｅｒＪｅｔによる近距離無線通信を行う。ＴｒａｎｓｆｅｒＪｅｔによる近距離無線通信によって、携帯端末３０から画像形成装置２０へのデータの送信、あるいは、画像形成装置２０から携帯端末３０へのデータの送信が行われる。図１に示す通信可能エリアＡは、ＴｒａｎｓｆｅｒＪｅｔの電波を発信するアンテナ同士が通信可能なエリアを示している。ＴｒａｎｓｆｅｒＪｅｔでは通信距離が数ｃｍ程度であるため、近距離無線通信を行う場合にはアンテナ同士を通信可能エリアＡ内に近接させる必要がある。一方、通信可能エリアＡ外にアンテナ同士がある場合には電波を発信しても通信は行われない。
【００１２】
本実施形態では、画像形成装置２０または近距離通信装置３５がＴｒａｎｓｆｅｒＪｅｔの接続要求を発信した状態で、画像形成装置２０と近距離通信装置３５が通信可能エリアＡ内に進入した時にＴｒａｎｓｆｅｒＪｅｔの通信が確立される。
ここで、携帯端末３０の操作により画像形成装置２０に所定のデータを印刷させる動作について簡単に説明する。まず、携帯端末３０は、後述する画像形成装置連携アプリケーション４００（以下、連携アプリという）を起動させる。ユーザは連携アプリ４００を用いて印刷を実行するために、画像データを選択してデータ転送の準備を行う。また、印刷において任意の指定がある場合は、ユーザは連携アプリ４００で設定を行う。印刷するための全ての準備が整った状態で、次にユーザは携帯端末３０に接続された近距離通信装置３５を画像形成装置２０の通信可能エリアＡ内に近づけることで、携帯端末３０は近距離通信装置３５を介して画像形成装置２０にデータを送信する。画像形成装置２０は受信したデータに従って印刷処理を実行する。なお、上述した動作を実現させるための詳細な処理については図４以降のフローチャートを用いて説明する。
【００１３】
図２は、画像形成装置２０のハードウェア構成の一例を示すブロック図である。
画像形成装置２０は、コントローラ２００、表示部２０７、操作部２０９、プリンタ２１３、スキャナ２１５を有する。また、画像形成装置２０は、ＵＳＢ  Ｉ／Ｆ２１７、ＦＡＸ  Ｉ／Ｆ２１９、有線ＬＡＮ  Ｉ／Ｆ２２１、無線ＬＡＮ用アンテナ２２２、ＴｒａｎｓｆｅｒＪｅｔモジュール２２４、ＴｒａｎｓｆｅｒＪｅｔ用アンテナ２２５等を有する。
【００１４】
コントローラ２００は、ＣＰＵ２０１、ＲＡＭ２０２、ＲＯＭ２０３、記憶装置２０４、システムバス２０５、表示部コントローラ２０６、操作部コントローラ２０８、プリンタコントローラ２１２、スキャナコントローラ２１４を有する。また、コントローラ２００は、ＵＳＢコントローラ２１６、ＦＡＸコントローラ２１８、ネットワークコントローラ２２０、ＴｒａｎｓｆｅｒＪｅｔコントローラ２２３、画像処理コントローラ２２６等を有する。コントローラ２００は、制御手段の一例に対応する。
操作部２０９は、タッチパネル２１０、キー２１１等を有する。
【００１５】
ＣＰＵ２０１は画像形成装置２０全体を制御する中央演算ユニットであり、各部とシステムバス２０５で接続されている。ＲＡＭ２０２は、ＣＰＵ２０１が動作するためのワークメモリであり、各種プログラム、演算処理結果を一時的に記憶したり、プリント、スキャン等の動作による画像処理コントローラ２２６で処理された画像データを一時的に記憶したりする。ＲＯＭ２０３は、ＣＰＵ２０１の起動プログラムや各種設定情報等を記憶するメモリである。記憶装置２０４は、サイズの大きなプログラムやデータを記憶する不揮発性メモリである。記憶装置２０４には、コントローラ２００内部のフラッシュメモリ、または外部Ｉ／Ｆから接続されたＨＤＤ等の外付けメモリデバイスを用いることができる。表示部コントローラ２０６は、画像データを表示部２０７の通信プロトコルに則り、表示部２０７へ送信する。操作部コントローラ２０８は、タッチパネル２１０とキー２１１からの入力を受け付け、ＣＰＵ２０１の理解できるデータに変換する。プリンタコントローラ２１２は、ＣＰＵ２０１により指定された画像データを印刷するにあたり、プリンタ２１３の印刷動作に関わる感光体ドラムやレーザ発振器、トナー定着器等の各種デバイスを制御する。スキャナコントローラ２１４は、スキャナ２１５の読み取り動作に関わる原稿検知センサや読み取りセンサ等の各種デバイスを制御する。
【００１６】
ＵＳＢコントローラ２１６は、ＵＳＢ  Ｉ／Ｆ２１７と外部端末をＵＳＢケーブルで接続し、画像データ等の通信を行う。ＦＡＸコントローラ２１８は、ＦＡＸ  ＩＦ２１９と公衆回線網とを電話線で接続し、画像データ等の通信を行う。ネットワークコントローラ２２０は、有線ＬＡＮ  Ｉ／Ｆ２２１と外部端末をＬＡＮケーブルで接続して、ネットワーク通信を行う。また、ネットワークコントローラ２２０は、無線ＬＡＮ用アンテナ２２２を介して外部端末と無線でデータを送受信する。無線ＬＡＮ用アンテナ２２２は、第１の無線通信手段の一例に対応する。画像処理コントローラ２２６は、スキャナ２１５で読み取った原稿を画像データに変換したり、拡大、縮小、モノクロ化等、プリンタ２１３で印刷するための画像データに変換したりする画像処理を行う。ＴｒａｎｓｆｅｒＪｅｔコントローラ２２３は、ＴｒａｎｓｆｅｒＪｅｔモジュール２２４の制御を行い、ＴｒａｎｓｆｅｒＪｅｔ用アンテナ２２５を介して外部端末への接続要求の発信と、外部端末とデータの送受信を行う。ＴｒａｎｓｆｅｒＪｅｔモジュール２２４は、外部端末から接続要求を受信すると、ＴｒａｎｓｆｅｒＪｅｔの接続を確立する機能を有する。ＴｒａｎｓｆｅｒＪｅｔ用アンテナ２２５は、ＴｒａｎｓｆｅｒＪｅｔモジュール２２４に接続されるカプラと呼ばれるアンテナである。ＴｒａｎｓｆｅｒＪｅｔ用アンテナ２２５は、外部端末との間で数ｃｍ程度の近距離で通信できるような位置に配置される。本実施形態では、ＴｒａｎｓｆｅｒＪｅｔ用アンテナ２２５は、図１に示すように画像形成装置２０の機体前面に配置される。ＴｒａｎｓｆｅｒＪｅｔ用アンテナ２２５は、第２の無線通信手段の一例に対応する。
【００１７】
図３は、携帯端末３０および近距離通信装置３５のハードウェア構成の一例を示すブロック図である。
携帯端末３０は、コントローラ３００、表示部３０７、操作部３０９、通話部３１３、音声用アンテナ３１６、無線ＬＡＮ用アンテナ３１８、外部接続Ｉ／Ｆ３２０等を有する。
コントローラ３００は、ＣＰＵ３０１、ＲＡＭ３０２、ＲＯＭ３０３、記憶装置３０４、システムバス３０５を有する。また、コントローラ３００は、表示部コントローラ３０６、操作部コントローラ３０８、通話部コントローラ３１２、無線ＬＡＮコントローラ３１７、外部接続Ｉ／Ｆコントローラ３１９等を有する。コントローラ３００は、制御手段の一例に対応する。
操作部３０９は、タッチパネル３１０、キー３１１等を有する。
通話部３１３は、マイク３１４、スピーカー３１５等を有する。
近距離通信装置３５は、外部接続Ｉ／Ｆ３５１、ＴｒａｎｓｆｅｒＪｅｔモジュール３５２、ＴｒａｎｓｆｅｒＪｅｔ用アンテナ３５３等を有する。
【００１８】
ＣＰＵ３０１は、携帯端末３０全体を制御する中央演算ユニットであり、各部とシステムバス３０５で接続されている。ＲＡＭ３０２は、ＣＰＵ３０１が動作するためのワークメモリであり、各種プログラム、演算処理結果を一時的に記憶する。ＲＯＭ３０３は、ＣＰＵ３０１の起動プログラムや各種設定情報等を記憶するメモリである。記憶装置３０４は、サイズの大きなプログラムやデータを記憶する不揮発性メモリである。記憶装置３０４には、コントローラ３００内部のフラッシュメモリ、または外部Ｉ／Ｆから接続されたＳＤカード等の外付けメモリデバイスを用いることができる。表示部コントローラ３０６は、画像データを表示部３０７の通信プロトコルに則り、表示部３０７へ送信する。操作部コントローラ３０８は、タッチパネル３１０とキー３１１からの入力を受け付け、ＣＰＵ３０１で使用可能なデジタルデータに変換する。通話部コントローラ３１２は、マイク３１４から受信した音声信号を相手機器に送信するための電波に変換し、音声用アンテナ３１６へ出力したり、相手機器から音声用アンテナ３１６で受信した電波を音声に変換してスピーカー３１５に出力したりする処理を行う。
【００１９】
無線ＬＡＮコントローラ３１７は、無線ＬＡＮ用アンテナ３１８を介して外部端末とデータを送受信する。無線ＬＡＮ用アンテナ３１８は第１の無線通信手段の一例に対応する。外部接続Ｉ／Ｆコントローラ３１９は、外部接続Ｉ／Ｆ３２０と外部端末を有線で接続する。本実施形態では、近距離通信装置３５の外部接続Ｉ／Ｆ３５１と接続する。携帯端末３０の外部接続Ｉ／Ｆ３２０と近距離通信装置３５の外部接続Ｉ／Ｆ３５１は同じ規格のＩ／Ｆで動作する必要がある。外部接続Ｉ／Ｆ３２０および外部接続Ｉ／Ｆ３５１は、例えば、ＵＳＢ  Ｉ／ＦやＬｉｇｈｔｎｉｎｇ  Ｉ／Ｆを用いることができる。ＴｒａｎｓｆｅｒＪｅｔモジュール３５２は、携帯端末３０内部で動作するアプリケーションにより携帯端末３０の外部接続Ｉ／Ｆコントローラ３１９を介して制御され、外部端末への接続要求の発信と、外部端末とデータの送受信を行う。携帯端末３０内部で動作するアプリケーション及び／またはＴｒａｎｓｆｅｒＪｅｔモジュール３５２は、外部端末から接続要求を受信すると、ＴｒａｎｓｆｅｒＪｅｔの接続を確立する機能を有する。ＴｒａｎｓｆｅｒＪｅｔ用アンテナ３５３は、第２の無線通信手段の一例に対応する。
なお、本実施形態では、携帯端末３０と近距離通信装置３５とが別体である場合について説明したが、近距離通信装置３５の機能が内蔵された携帯端末３０を用いて近距離無線通信を行ってもよい。
【００２０】
ここで、携帯端末３０には、画像形成装置２０と連携するための携帯端末３０上で実行されるアプリケーションとして、連携アプリ４００が格納されている。
図４は、連携アプリ４００の機能ブロックの一例を示す図である。
連携アプリ４００は、携帯端末３０のコントローラ３００のＲＯＭ３０３もしくは記憶装置３０４に格納されたプログラムを、ＲＡＭ３０２に展開した後にＣＰＵ３０１によって実行されることで実現する。コントローラ３００はプログラムに基づき、それぞれの機能ブロックの制御を行う。ここで使用するデータやパラメータは、ＲＡＭ３０２やＲＯＭ３０３もしくは記憶装置３０４上に保存されて取り扱われる。
ドキュメント管理４０１は、携帯端末３０のコントローラ３００のＲＯＭ３０３もしくは記憶装置３０４等のストレージ上に格納された画像データ（例えば、ｊｐｇやｐｄｆ等）が存在する、フォルダのファイルの一覧や操作する機能を提供する。
印刷データ制御４０２は、ユーザがドキュメント管理４０１で選択した画像データと、機能設定４０３上で設定された画像形成装置機種情報に基づき設定可能な印刷設定ファイルを印刷データとしてデータを作成して保存する。
機能設定４０３は、連携アプリ４００で使用する設定情報（例えば、画像形成装置情報、アドレス情報、クラウドストレージの認証情報、印刷やスキャン等の設定情報）を設定管理する。
ＴｒａｎｓｆｅｒＪｅｔ制御４０４は、連携アプリ４００上から近距離通信装置３５を外部接続Ｉ／Ｆ３２０を介して制御を行う。
各種ＡＰＩ制御４０５は、連携アプリ４００上から携帯端末３０上で動作する他のプログラムを呼び出してファイル共有することや、デバイス制御のＡＰＩを用いて携帯端末３０が持つ様々なデバイスを制御することを可能にする。
その他機能４０６は、連携アプリ４００上で動作することが可能な各種モジュールであり、ＵＩ表示等の基本的な機能を包括して詳細を割愛する。
以上の機能ブロックを用いて本実施形態が実現されるが、連携アプリ４００上の機能ブロックの構造はこれに限定されない。
【００２１】
次に、携帯端末３０から画像形成装置２０へＴｒａｎｓｆｅｒＪｅｔを用いてデータ通信を行い、画像形成装置２０が印刷を実行するときの携帯端末３０の処理について説明する。
図５は、携帯端末３０の処理を示すフローチャートである。図７は、連携アプリ４００を起動しているときに携帯端末３０の表示部３０７に表示される画面の例を示す図である。
Ｓ５０１では、携帯端末３０のコントローラ３００のＣＰＵ３０１は連携アプリ４００を起動しているか否かを判定する。ＣＰＵ３０１は連携アプリ４００を起動している場合には図７（Ａ）に示すホーム画面を表示する。連携アプリ４００を起動している場合にはＳ５０２に進み、連携アプリ４００を起動していない場合にはＳ５０１に戻る。
Ｓ５０２では、ＣＰＵ３０１はユーザによりドキュメント管理が選択されたか否かを判定する。具体的には、ＣＰＵ３０１は図７（Ａ）に示すドキュメントボタン７０１を表示して、ドキュメントボタン７０１が選択されたか否かを判定する。ドキュメント管理が選択された場合にはＳ５０３に進み、ドキュメント管理が選択されていない場合にはＣＰＵ３０１は他の機能を実行するためにフローチャートを終了する。
【００２２】
Ｓ５０３では、ＣＰＵ３０１はドキュメント管理を実行し、画像データが格納されているディレクトリを表示して、ユーザによりディレクトリが選択されたか否かを判定する。具体的には、ＣＰＵ３０１は図７（Ｂ）の画面に示すように、画像データ（例えば、ｊｐｇやｐｄｆ等）が格納されているディレクトリを表示して、ディレクトリが選択されたか否かを判定する。ディレクトリが選択された場合にはＳ５０４に進み、選択されていない場合にはＳ５０３に戻る。ここでは、図７（Ｂ）に示すディレクトリのうち、携帯端末３０のコントローラ３００のＲＯＭ３０３もしくは記憶装置３０４等のストレージ上に格納されたローカルフォルダ７０２が選択されたものとする。
【００２３】
Ｓ５０４では、ＣＰＵ３０１は選択されたフォルダに格納された画像データの一覧を表示して、ユーザにより画像データが選択されたか否かを判定する。具体的には、ＣＰＵ３０１は図７（Ｃ）の画面に示すように、画像データの一覧７０３を表示して、画像データが選択されたか否かを判定する。画像データが選択された場合には、ＣＰＵ３０１は図７（Ｄ）に示すプレビュー表示と印刷設定画面を表示して、Ｓ５０５に進む。一方、画像データが選択されていない場合にはＳ５０４に戻る。
Ｓ５０５では、ＣＰＵ３０１はユーザにより印刷が指示されたか否かを判定する。具体的には、ＣＰＵ３０１は図７（Ｄ）の画面に示すようにＴｒａｎｓｆｅｒＪｅｔ印刷ボタン７０４を表示し、ＴｒａｎｓｆｅｒＪｅｔ印刷ボタン７０４が選択されたか否かを判定する。印刷が指示された場合にはＳ５０６に進み、印刷が指示されていない場合にはフローチャートを終了する。
【００２４】
Ｓ５０６では、ＣＰＵ３０１はユーザに携帯端末３０を画像形成装置２０のＴｒａｎｓｆｅｒＪｅｔ用アンテナ２２５に近接させるように通知する。具体的には、ＣＰＵ３０１は図７（Ｅ）に示すメッセージ７０５および表示アイテム７０６等を表示部３０７に表示する。
Ｓ５０７では、ＣＰＵ３０１は近距離通信装置３５のＴｒａｎｓｆｅｒＪｅｔモジュール３５２を介して接続要求の送信を開始する。ここで、図１に示すように、ユーザは携帯端末３０の近距離通信装置３５を、画像形成装置２０の通信可能エリアＡ内に移動させることで、近距離通信装置３５から発信される接続要求を画像形成装置２０に到達させることができる。
【００２５】
Ｓ５０８では、ＣＰＵ３０１は画像形成装置２０から接続要求に対応した接続応答を受信したか否かを判定する。なお、ＣＰＵ３０１は画像形成装置２０からの接続応答が予め定めた規定時間内にない場合にはフローチャートを終了してもよい。接続応答を受信した場合にはＳ５０９に進み、接続応答を受信しない場合にはＳ５０８に戻る。
Ｓ５０９では、ＣＰＵ３０１は画像形成装置２０とのＴｒａｎｓｆｅｒＪｅｔによる接続を確立する。
Ｓ５１０では、ＣＰＵ３０１は画像形成装置２０に印刷させるための画像データを送信する。具体的には、ＣＰＵ３０１は近距離通信装置３５のＴｒａｎｓｆｅｒＪｅｔモジュール３５２を介して、Ｓ５０４において選択された画像データを送信する。
【００２６】
Ｓ５１１では、ＣＰＵ３０１は画像データの送信が完了したか否かを判定する。送信が完了した場合にはＳ５１２に進み、送信が完了していない場合にはＳ５１１に戻る。
Ｓ５１２では、ＣＰＵ３０１は画像形成装置２０から無線通信するための情報を受信したか否かを判定する。ここで、無線通信するための情報とは、携帯端末３０が無線ＬＡＮ用アンテナ３１８を介して、無線ＬＡＮにより画像形成装置２０と無線通信するときに必要な情報である。具体的には、画像形成装置２０がアクセスポイントモードに設定されている場合には、画像形成装置名、ＳＳＩＤ、アクセスキーの情報である。ＳＳＩＤは、アクセスポイントを識別する識別情報の一例に対応する。また、画像形成装置２０がインフラストラクチャモードに設定されている場合には、画像形成装置名、ＭＡＣアドレス、ＩＰアドレスの情報である。ＭＡＣアドレス、ＩＰアドレスは、アドレス情報の一例に対応する。
アクセスポイントモードとは、画像形成装置２０がアクセスポイントとなって無線通信するモードである。インフラストラクチャモードとは、別途アクセスポイント機器を必要とし、画像形成装置２０と携帯端末３０がアクセスポイント機器を介して無線通信するモードである。画像形成装置２０から無線通信するための情報を受信した場合にはＳ５１３に進み、受信していない場合にはフローチャートを終了する。
【００２７】
Ｓ５１３では、ＣＰＵ３０１は無線通信するための情報を受信した旨の通知を表示部３０７に表示する。図７（Ｆ）は、画像形成装置２０にアクセスポイントモードが設定されていた場合に表示される通知７０７である。図７（Ｇ）は、画像形成装置２０にインフラストラクチャモードが設定されていた場合に表示される通知７０８である。
Ｓ５１４では、ＣＰＵ３０１は無線通信するための情報を登録するか否かを判定する。具体的には、ＣＰＵ３０１は図７（Ｆ）および図７（Ｇ）に示す登録するボタン７０９を表示して、登録するボタン７０９が選択されたか否かを判定する。登録する場合にはＳ５１５に進み、登録しない場合にはフローチャートを終了する。
【００２８】
Ｓ５１５では、ＣＰＵ３０１は無線通信するための情報を連携アプリ４００上に登録する。すなわち、ＣＰＵ３０１は無線通信するための情報を用いることができるように連携アプリ４００に関連付けて記憶装置３０４に記憶する。また、ＣＰＵ３０１は登録に応じて、図７（Ｈ）に示すように、次回以降無線ＬＡＮで接続できる旨の通知７１０を表示する。したがって、ユーザは無線ＬＡＮで接続できることを認識できる。
このように、無線通信するための情報を登録した場合には、ユーザは次回以降、図７（Ｄ）に示すＷｉＦｉ印刷ボタン７１１を選択することで、無線通信するための情報を入力することなく、無線ＬＡＮ用アンテナ３１８を介した無線通信を行うことができる。すなわち、ＣＰＵ３０１の無線ＬＡＮコントローラ３１７は無線通信するための情報に基づいて画像形成装置２０と無線ＬＡＮ用アンテナ３１８を介して無線通信する。したがって、携帯端末３０を画像形成装置２０に近づけることなく、画像データを画像形成装置２０に送信することができる。
【００２９】
次に、携帯端末３０から画像形成装置２０へＴｒａｎｓｆｅｒＪｅｔを用いてデータ通信を行い、画像形成装置２０が印刷を実行するときの画像形成装置２０の処理について説明する。
図６は、画像形成装置２０の処理を示すフローチャートである。図６のフローチャートは、画像形成装置２０のコントローラ２００のＲＯＭ２０３もしくは記憶装置２０４に格納されたプログラムを、ＲＡＭ２０２に展開した後にＣＰＵ２０１によって実行されることで実現する。図８は、画像形成装置２０の表示部２０７に表示される画面の例を示す図である。
Ｓ６０１では、画像形成装置２０のコントローラ２００のＣＰＵ２０１は、ＴｒａｎｓｆｅｒＪｅｔによる接続要求を受信したか否かを判定する。具体的には、ＣＰＵ２０１は携帯端末３０のＴｒａｎｓｆｅｒＪｅｔモジュール３５２から送信された接続要求を、ＴｒａｎｓｆｅｒＪｅｔモジュール２２４を介して受信したか否かを判定する。接続要求を受信した場合にはＳ６０２に進み、接続要求を受信していない場合にはＳ６０１に戻る。
【００３０】
Ｓ６０２では、ＣＰＵ２０１は接続応答を送信する。
Ｓ６０３では、ＣＰＵ２０１は携帯端末３０とのＴｒａｎｓｆｅｒＪｅｔによる接続を確立する。
Ｓ６０４では、ＣＰＵ２０１はＴｒａｎｓｆｅｒＪｅｔにより携帯端末３０から印刷データの受信を開始して、受信が完了したか否かを判定する。受信が完了した場合にはＳ６０５に進み、受信が完了していない場合にはＳ６０４に戻る。
【００３１】
Ｓ６０５では、ＣＰＵ２０１は画像形成装置２０自身の無線通信機能が有効になっているか否かを判定する。ここで画像形成装置２０の無線通信機能を有効にするためにユーザが行う操作について説明する。
図８（Ａ）〜（Ｃ）は画像形成装置２０の表示部２０７に表示される画面の例を示す図である。まずユーザが図８（Ａ）に示すネットワーク設定の画面において、有線ＬＡＮ／無線ＬＡＮ選択ボタン８０１を選択することで、ＣＰＵ２０１は図８（Ｂ）に示す有線ＬＡＮ／無線ＬＡＮ選択の画面を表示する。次に、ユーザが図８（Ｂ）に示す無線ＬＡＮ選択ボタン８０２を選択することで、ＣＰＵ２０１は無線通信機能を有効にする。このとき、ＣＰＵ２０１はインフラストラクチャモードを設定する。なお、ユーザが図８（Ａ）に示すネットワーク設定の画面において、ダイレクト接続ＯＮ／ＯＦＦボタン８０３を選択することで、ＣＰＵ２０１は図８（Ｃ）に示すダイレクト接続の画面を表示する。次に、ユーザが図８（Ｃ）に示すＯＮボタン８０４を選択することで、ＣＰＵ２０１はアクセスポイントモードを設定する。なお、図８（Ｃ）に示すＯＮボタン８０４が選択される前に、図８（Ｂ）のダイレクト接続ＯＮ／ＯＦＦボタン８０３が選択されていてもよく、選択されていなくてもよい。図８（Ｂ）に示す無線ＬＡＮ選択ボタン８０２が選択されていない場合には、図８（Ｃ）のＯＮボタン８０４が選択されると、ＣＰＵ２０１は無線通信機能を有効にすると共に、モードをアクセスポイントモードに切り替えて設定する。ここでＣＰＵ２０１による無線通信機能を有効あるいは無効に設定する処理は、通信設定手段による処理の一例に対応する。また、ＣＰＵ２０１によりインフラストラクチャモードあるいはアクセスポイントモードに設定する処理は、モード設定手段による処理の一例に対応する。
無線通信機能が有効になっている場合にはＳ６０６に進み、無線通信機能が有効になっていない場合にはＳ６０９に進む。
【００３２】
Ｓ６０６では、ＣＰＵ２０１は無線通信の設定がアクセスポイントモードであるか否かを判定する。アクセスポイントモードである場合にはＳ６０７に進む。一方、アクセスポイントモードではない場合、すなわちインフラストラクチャモードである場合にはＳ６０８に進む。
Ｓ６０７では、ＣＰＵ２０１は無線通信するための情報であってアクセスポイントモードに応じた情報をＴｒａｎｓｆｅｒＪｅｔにより携帯端末３０に送信する。アクセスポイントモードでは画像形成装置２０自身がアクセスポイントになることから、ＣＰＵ２０１は自身がアクセスポイントとなって無線通信するときに、携帯端末３０が必要とする情報、例えば、画像形成装置名、ＳＳＩＤ、アクセスキーの情報を送信する。このとき、ＣＰＵ２０１は自身がＳＳＩＤ等を生成し、生成したＳＳＩＤ等の情報を送信してもよい。
Ｓ６０８では、ＣＰＵ２０１は無線通信するための情報であってインフラストラクチャモードに応じた情報をＴｒａｎｓｆｅｒＪｅｔにより携帯端末３０に送信する。インフラストラクチャモードではアクセスポイント機器を介して無線通信することから、ＣＰＵ２０１はアクセスポイント機器を介して無線通信するときに、携帯端末３０が必要とする情報、例えば、画像形成装置名、ＭＡＣアドレス、ＩＰアドレスの情報を送信する。
Ｓ６０９では、ＣＰＵ２０１は受信した画像データをプリンタ２１３を介して印刷する。なお、Ｓ６０５〜Ｓ６０８の処理は、Ｓ６０３とＳ６０４との間に実行されてもよい。
【００３３】
このように、本実施形態によれば、ＴｒａｎｓｆｅｒＪｅｔにより携帯端末３０と無線通信をしたときに、無線ＬＡＮにより無線通信ができることをユーザに認識させるように、携帯端末３０と無線ＬＡＮにより無線通信するための情報を携帯端末３０に送信する。したがって、ＴｒａｎｓｆｅｒＪｅｔの規格に準拠した無線通信をしたときに、他の無線通信により無線通信できることをユーザが認識することができる。具体的には、ユーザは携帯端末３０から無線ＬＡＮにより画像を画像形成装置２０に送信できることを認識することができる。また、ユーザは無線ＬＡＮにより無線通信するための情報を携帯端末３０で受信することができる。
【００３４】
また、本実施形態によれば、ＴｒａｎｓｆｅｒＪｅｔにより携帯端末３０から画像形成装置２０に記録媒体に形成するための画像を送信したときに、無線ＬＡＮにより無線通信するための情報を携帯端末３０で受信する。したがって、ユーザは記録媒体に形成するために画像を送信する操作に伴って、画像形成装置２０と無線ＬＡＮにより無線通信するための情報を受信することができる。すなわち、ユーザは特別な操作をすることなく画像を送信する操作によって、無線ＬＡＮにより無線通信するための情報を受信することができる。
【００３５】
以上、本発明を上述した実施形態と共に説明したが、本発明は上述した実施形態にのみ限定されるものではなく、本発明の範囲内で変更等が可能である。
（その他の実施形態）
本発明は、上述の実施形態の１以上の機能を実現するプログラムを、ネットワーク又は記録媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００３６】
１０：通信システム  ２０：画像形成装置  ３０：携帯端末  ３５：近距離通信装置  ２０１：ＣＰＵ  ２２０：ネットワークコントローラ  ２２２：無線ＬＡＮ用アンテナ  ２２３：ＴｒａｎｓｆｅｒＪｅｔコントローラ  ２２４：ＴｒａｎｓｆｅｒＪｅｔモジュール  ２２５：ＴｒａｎｓｆｅｒＪｅｔ用アンテナ  ３０１：ＣＰＵ  ３１７：無線ＬＡＮコントローラ  ３１８：無線ＬＡＮ用アンテナ  ３５２：ＴｒａｎｓｆｅｒＪｅｔモジュール  ３５３：ＴｒａｎｓｆｅｒＪｅｔ用アンテナ
【図１】
2018191157.tif 000003
【図２】
2018191157.tif 000004
【図３】
2018191157.tif 000005
【図４】
2018191157.tif 000006
【図５】
2018191157.tif 000007
【図６】
2018191157.tif 000008
【図７】
2018191157.tif 000009
【図８】
2018191157.tif 000010